(57)【特許請求の範囲】
【請求項１】
含油スカムに対して、ＨＬＢ値１４以下、曇点６０℃以下のノニオン系界面活性剤を添加する含油スカムの粘度低減方法。
【請求項２】
前記曇点が２０℃以下である請求項１に記載の含油スカムの粘度低減方法。
【請求項３】
含油排水に対して、ＨＬＢ値１４以下、曇点６０℃以下のノニオン系界面活性剤を添加する含油排水の粘度低減方法。
【請求項４】
前記曇点が２０℃以下である請求項３に記載の含油排水の粘度低減方法。
【発明の詳細な説明】
【技術分野】
【０００１】
本発明は、含油スカムの粘度低減方法、及び含油排水の粘度低減方法に関する。
【背景技術】
【０００２】
冷間圧延等の金属の圧延処理では、潤滑性のための油、冷却のための水が必要であり、含油排水が発生する。このように金属の圧延処理等で生じた含油排水は、油水分離槽において、水分と油分とに分離される。分離した水分は、回収して冷間圧延等で再利用するか、排水処理設備に送られる。油分は分離の際にスカムとして浮上し、この油分を含むスカム（以下、「含油スカム」と称する）は、油水分離槽からポンプで送液され、産業廃棄物として焼却処分される。
含油排水及び含油スカムは、油分の影響により粘度が高くなりやすい。粘度の上昇は低温環境下では顕著であり、特に含油スカムは油分の濃度が高いため粘度が高くなりやすく、油水分離槽からのポンプでの送液作業に深刻な影響を与える。
【０００３】
含油排水の油水分離処理としては、特許文献１の技術が提案されている。
特許文献１は、含油廃水から油分離槽にて浮上油を分離した後、無薬注で加圧浮上槽にてさらに浮上油を分離して浮上油を２段階で除去し、その後エマルジョンブレークし凝集剤を添加して、分離された油分を凝集加圧浮上濃縮槽にてスカムとして浮上させるとともに濃縮して除去するものである。しかし、特許文献１は油水分離のみに着目しており、含油排水や含油スカムの粘度低減に関しては何ら考慮していない。
【０００４】
含油排水や含油スカムの粘度を低減するためには、加温が有効である。特許文献２では、油スラッジを流動化して取り扱い性を向上させるために、油スラッジを加温することを開示している。
【先行技術文献】
【特許文献】
【０００５】
【特許文献１】特開昭６２−１２１６８８号公報
【特許文献２】特公昭５９−３８１７５号公報
【発明の概要】
【発明が解決しようとする課題】
【０００６】
しかし、特許文献２のような加温処理は、一連の工程におけるエネルギー消費量が大きくなってしまうという問題がある。
また、含油スカムについては水の添加によっても粘度を低減することが可能であるが、スカムの水分が増加することによって、焼却処分の際に助燃剤が大量に必要となったり、水分の存在により含油スカムの熱量が低下し、含油スカムの再資源化が困難になるという問題がある。
【０００７】
本発明は、このような状況下になされたものであり、エネルギーを大量に消費したり、含油スカム中の水分の増加を伴うことなく、含油スカムや含油排水の粘度を低減する方法を提供することを目的とする。
【課題を解決するための手段】
【０００８】
上記課題を解決すべく、本発明は、次の［１］〜［４］を提供する。
［１］含油スカムに対して、ＨＬＢ値１４以下、曇点６０℃以下のノニオン系界面活性剤を添加する含油スカムの粘度低減方法。
［２］前記曇点が２０℃以下である上記１に記載の含油スカムの粘度低減方法。
［３］含油排水に対して、ＨＬＢ値１４以下、曇点６０℃以下のノニオン系界面活性剤を添加する含油排水の粘度低減方法。
［４］前記曇点が２０℃以下である上記３に記載の含油排水の粘度低減方法。
【発明の効果】
【０００９】
本発明の含油スカムの粘度低減方法、及び含油排水の粘度低減方法は、エネルギーを大量に消費したり、含油スカム中の水分の増加を伴うことなく、含油スカム、及び含油排水の粘度を低減できる。
【発明を実施するための形態】
【００１０】
［含油スカムの粘度低減方法］
本発明の含油スカムの粘度低減方法は、含油スカムに対して、ＨＬＢ値１４以下、曇点６０℃以下のノニオン系界面活性剤を添加するものである。
なお、本発明でいう含油スカムとは、少なくとも油水分離槽で分離した油分（浮上油）を含むものであり、さらに場合により、油水分離時に油分とともに同時に取り出される水分等の油分以外の成分、及び含油スカムに散布する水分等の油水分離後に添加される成分を含むものである。
【００１１】
本発明の含油スカムの粘度低減方法に適用可能な含油スカムは特に制限されない。含油スカムの由来としては、冷間圧延等の金属の圧延処理等で生じる含油排水が挙げられる。
含油スカム中の油分は特に限定されないが、通常２０〜８０質量％である。
【００１２】
ＨＬＢ値１４以下、曇点６０℃以下のノニオン系界面活性剤は、ＨＬＢ値が１４以下であることにより、含油スカムに溶けやすく、曇点が６０℃以下であることにより、曇点を決定しているファクター（分子構造等）の影響により、油成分に作用しやすくなっていると考えられる。そして、ＨＬＢ値１４以下、曇点６０℃以下のノニオン系界面活性剤が含油スカム中の油成分に作用すると、油分に含まれるワックス成分の結晶化が阻害され、含油スカムの粘度を低減できると考えられる。また、ＨＬＢ値１４以下、曇点６０℃以下のノニオン系界面活性剤が含油スカム中の油成分に作用すると、含油スカム中の油滴の分散を促進することにより、含油スカムの粘度を低減できると考えられる。
このように、ＨＬＢ値１４以下、曇点６０℃以下のノニオン系界面活性剤は、含油スカムの粘度低減作用があるため、含油スカムに散布する水の量を減らすことができる。これにより、含油スカム中の水分が減少し、含油スカムを焼却処分する際の助燃剤の添加量を削減できる。また、含油スカム中の水分が減少することにより、含油スカムの熱量が高くなり、回収した含油スカムを再資源化することができる。
また、含油スカムを加熱して粘度を低減する必要がなくなり、蒸気等のエネルギーの使用量を削減できる。
【００１３】
ノニオン系界面活性剤のＨＬＢ値は１１以下が好ましい。また、ＨＬＢ値は含油スカムへの溶解性の観点から８以上が好適である。ノニオン系界面活性剤の曇点は２０℃以下が好ましい。
【００１４】
ＨＬＢ値１４以下、曇点６０℃以下のノニオン系界面活性剤としては、ポリオキシアルキレンアルキルエーテル、ポリオキシアルキレン脂肪酸エステル、ポリオキシアルキレンジ脂肪酸エステル及びこれらの誘導体等が挙げられる。
ＨＬＢ値は、親水基と親油基とのバランスにより調整できる。曇点はポリエーテル鎖を長くすることにより低くすることができる。
【００１５】
ＨＬＢ値１４以下、曇点６０℃以下のノニオン系界面活性剤は、含油スカムの粘度を低減する作用を奏するが、該作用により、硬い油膜中に閉じ込められている水が油膜外に逃げやすくなり、油水分離効果を促進することもできる。含油スカムの油水分離効果により、油水分離の段階ごとに含油スカムの水分を減少させることができる。
【００１６】
含油スカムに対するＨＬＢ値１４以下、曇点６０℃以下のノニオン系界面活性剤の添加量は、含油スカム中の油分に対して、３ｇ／Ｌ〜３０ｇ／Ｌであることが好ましい。
ＨＬＢ値１４以下、曇点６０℃以下のノニオン系界面活性剤を添加する箇所は特に制限されない。含油スカム中の水分を減少させる観点からは、含油スカムが得られるより前の箇所、具体的には油水分離槽又は油水分離槽以前の箇所で添加することが好ましい。また、添加量削減の観点からは、油水分離槽の後の配管等で添加することが好ましい。
【００１７】
［含油排水の粘度低減方法］
本発明の含油排水の粘度低減方法は、含油排水に対して、ＨＬＢ値１４以下、曇点６０℃以下のノニオン系界面活性剤を添加するものである。
【００１８】
本発明の含油排水の粘度低減方法に適用可能な含油排水は特に制限されず、どのような含油排水でも適用することができる。含油排水としては、冷間圧延等の金属の圧延処理等で生じる排水が挙げられる。
含油排水中の油分は特に限定されないが、金属の圧延処理の排水の場合、通常油分は５０〜５００ｐｐｍである。
【００１９】
ＨＬＢ値１４以下、曇点６０℃以下のノニオン系界面活性剤は、ＨＬＢ値が１４以下であることにより、含油排水に溶けやすく、曇点が６０℃以下であることにより、曇点を決定しているファクター（分子構造等）の影響により、油成分に作用しやすくなっていると考えられる。そして、ＨＬＢ値１４以下、曇点６０℃以下のノニオン系界面活性剤が含油排水中の油成分に作用すると、油分に含まれるワックス成分の結晶化が阻害され、含油排水の粘度を低減できると考えられる。また、ＨＬＢ値１４以下、曇点６０℃以下のノニオン系界面活性剤が含油排水中の油成分に作用すると、含油排水中の油滴の分散を促進することにより、含油排水の粘度を低減できると考えられる。
【００２０】
ＨＬＢ値１４以下、曇点６０℃以下のノニオン系界面活性剤は、含油排水の粘度を低減する作用を奏するが、該作用により、硬い油膜中に閉じ込められている水が油膜外に逃げやすくなり、油水分離効果を促進することもできる。当該油水分離効果により、油水分離槽で得た含油排水の水分を減少させることができる。
【００２１】
含油排水に対するＨＬＢ値１４以下、曇点６０℃以下のノニオン系界面活性剤の添加量は、排水中の油分に対して、３ｇ／Ｌ〜３０ｇ／Ｌであることが好ましい。
【００２２】
本発明の含油排水の粘度低減方法で用いるＨＬＢ値１４以下、曇点６０℃以下のノニオン系界面活性剤の好適な実施態様は、本発明の含油スカムの粘度低減方法で用いるＨＬＢ値１４以下、曇点６０℃以下のノニオン系界面活性剤の好適な実施態様と同様である。
【００２３】
＜任意添加成分＞
本発明の含油スカムの粘度低減方法及び含油排水の粘度低減方法においては、本発明の目的が損なわれない範囲で、各種の添加成分、例えば、アニオン系界面活性剤、カチオン系界面活性剤等を添加することできる。これらの添加成分は一種単独で又は二種以上を組み合わせて用いることができる。
【実施例】
【００２４】
次に、本発明を実施例により更に詳細に説明するが、本発明はこれらの例によって何ら限定されるものではない。
【００２５】
１．含油スカムの粘度低減の検証
［実施例１］
冷間圧延を経た含油排水の油水分離槽で採取した含油スカム（水分５２質量％、油分４８質量％、粘度７．６Ｐａ・ｓ）が入った缶を３０〜４０回撹拌混合した。攪拌した含油スカムを１００ｍｌの試験管に５０ｍｌ注ぎ、薬剤としてノニオン系界面活性剤（ポリオキシエチレンアルキルエーテル；三洋化成工業社製、ナロアクティーCL-50；ＨＬＢ値１０．０、曇点２０℃以下）を添加し、再度含油スカムを注いで、薬剤濃度を１０ｇ／Ｌ（油分に対して２０．８ｇ／Ｌ）に調整した。試験管内の試料をスパチュラで１２０秒攪拌し、含油スカムと薬剤とを混合し、試料温度が２０℃の条件で粘度を測定した。
【００２６】
［実施例２〜８］、［比較例１〜１０］
薬剤を以下のものに変更した以外は、実施例１と同様にして、含油スカムの粘度を測定した。
（実施例２の薬剤）
ノニオン系界面活性剤（ポリオキシエチレンジ脂肪酸エステル；三洋化成工業社製、イオネットDO-400；ＨＬＢ値８．４、曇点２０℃以下）
（実施例３の薬剤）
ノニオン系界面活性剤（ポリオキシエチレンラウリルエーテル；三洋化成工業社製、エマルミンNL-70；ＨＬＢ値１２．４、曇点５８℃）
（実施例４の薬剤）
ノニオン系界面活性剤（ポリオキシアルキレンアルキルエーテル；三洋化成工業社製、ナロアクティーID-40；ＨＬＢ値８．１、曇点２０℃以下）
（実施例５の薬剤）
ノニオン系界面活性剤（ポリオキシエチレンアルキルエーテル；三洋化成工業社製、サンノニックSS-50；ＨＬＢ値１０．５、曇点２０℃以下）
（実施例６の薬剤）
ノニオン系界面活性剤（ポリオキシエチレンアルキルエーテル；三洋化成工業社製、サンノニックSS-90；ＨＬＢ値１３．２、曇点５６℃）
（実施例７の薬剤）
ノニオン系界面活性剤（ポリオキシエチレンポリオキシプロピレングリコール；三洋化成工業社製、ニューポールPE-61；ＨＬＢ値１．９、曇点２４℃）
（実施例８の薬剤）
ノニオン系界面活性剤（ポリオキシアルキレンアルキルエーテル；三洋化成工業社製、ナロアクティーCL-85；ＨＬＢ値１２．６、曇点４１℃）
【００２７】
（比較例１の薬剤）
ノニオン系界面活性剤（ポリオキシエチレンラウリルエーテル；三洋化成工業社製、エマルミンNL-110；ＨＬＢ値１４．４、曇点９７℃）
（比較例２の薬剤）
ノニオン系界面活性剤（ポリオキシアルキレンアルキルエーテル；三洋化成工業社製、ナロアクティーCL-160；ＨＬＢ値１５．２、曇点９９℃）
（比較例３の薬剤）
ノニオン系界面活性剤（ポリオキシアルキレンアルキルエーテル；三洋化成工業社製、ナロアクティーCL-400；ＨＬＢ値１７．８、曇点１００℃）
（比較例４の薬剤）
ノニオン系界面活性剤（ポリオキシエチレンオレイルエーテルとポリオキシエチレンセチルエーテルの混合物；三洋化成工業社製、エマルミン110；ＨＬＢ値１３．２、曇点７８℃）
（比較例５の薬剤）
ノニオン系界面活性剤（ポリオキシエチレンオレイルエーテルとポリオキシエチレンセチルエーテルの混合物；三洋化成工業社製、エマルミン240；ＨＬＢ値１６．１、曇点１００℃）
（比較例６の薬剤）
ノニオン系界面活性剤（モノステアリン酸ポリエチレングリコール；三洋化成工業社製、イオネットMS-1000；ＨＬＢ値１５．７、曇点１００℃）
（比較例７の薬剤）
ノニオン系界面活性剤（ポリオキシエチレンポリオキシプロピレングリコール；三洋化成工業社製、ニューポールPE-68；ＨＬＢ値１５．７、曇点１００℃）
（比較例８の薬剤）
カチオン系界面活性剤（塩化ステアリルジメチルベンジルアンモニウム；三洋化成工業株式会社製、カチオンS）
（比較例９の薬剤）
カチオン系界面活性剤（塩化ベヘニルトリメチルアンモニウム；三洋化成工業株式会社製、エコノールTM-22）
（比較例１０の薬剤）
ブランク（薬剤は用いない）
【００２８】
２．含油スカムの油水分離の検証
実施例１〜８及び比較例１〜１０において、粘度測定後に試験管の試料をスパチュラで１２０秒攪拌し、含油スカムと薬剤とを混合した後に２０℃の環境に１８時間静置し、油水分離の状態を目視で観察した。その結果、水層が全体の１／５〜１／４観察できるものを「〇」、水層が１／５未満観察できるものを「△」、油水が分離せず水層が観察できないものを「×」とした。結果を表１に示す。
【００２９】
【表１】
0005910591.tif 000002
【００３０】
表１の結果から明らかなように、ＨＬＢ値１４以下、曇点６０℃以下のノニオン系界面活性剤を添加した実施例１〜８は、当初の含油スカムの粘度（７．６Ｐａ・ｓ）を大幅に低減できるものであった。また、実施例２〜７のノニオン系界面活性剤は、油水分離効果にも優れていた。